(57)【要約】  【課題】メモリを占有している画像データの使用内訳が分かるとともに、使用内訳画面上で各データを容易に削除することができる通信端末装置を提供する。  【解決手段】ユーザがメニュー表示画面でメモリ使用状況確認を選択すると、表示部にメモリ残量、画像データの種別毎の使用量がパーセントで表示される。そして、ユーザが「全削除」ボタン５１を押下すると、削除の確認画面が表示され、ＯＫした場合、画像メモリの全データが削除される。また、分類毎の「削除」ボタン５２〜５４のいずれかを押下すると、押下された「削除」ボタンに該当する分類の記憶データの細目と、その分類の全データの削除を指示するための「全削除」ボタン、細目毎のデータの削除を指示するための複数の「削除」ボタンが表示されるので、任意の画像データを削除することができる。  【選択図】図５
2007074109.tif 000002
【特許請求の範囲】
【請求項１】
送信画像データ、受信画像データをメモリに記憶する制御手段を備えた通信端末装置であって、
上記メモリのメモリ残量表示時に、上記制御手段が、表示手段に上記メモリの使用内訳を表示するとともに、画像データの削除指示ボタンを表示することを特徴とする通信端末装置。
【請求項２】
請求項１に記載された通信端末装置において、
上記削除指示ボタンが全画像データ削除、分類毎の画像データ削除、細目毎の画像データ削除の指示ボタンよりなることを特徴とする通信端末装置。
【請求項３】
請求項１または請求項２に記載された通信端末装置において、
画像データ削除指示があったとき、上記制御手段が、画像データ削除の確認画面を表示することを特徴とする通信端末装置。
【発明の詳細な説明】
【技術分野】
【０００１】
本発明は、通信端末装置に関し、特に送信画像データや受信画像データを記憶するメモリのメモリ残量表示やデータ削除を行うことができる通信端末装置に関する。
【背景技術】
【０００２】
ファクシミリ装置は、予め宛先及び送信時刻を指定して原稿の画像データをメモリ内に格納しておき、指定されている送信時刻になったら指定の宛先に対してメモリ内に格納しておいた画像データを送信する、時刻指定送信機能を備えており、送信時刻まで送信画像データがメモリに保存されるようになっている。また、ファクスを受信した場合、用紙切れ等により受信原稿データを印刷できなかった場合には、受信原稿データを同様にメモリに保存するようにしている。
【０００３】
一方、ファクシミリのサブアドレスを用いて行うＦコード通信では、親展通信または中継通信を実現させるためにサブアドレスによって指定したボックスに送信データを格納させたり、ポーリング受信を実現させるためにサブアドレスによって指定したボックスに格納されているデータを受信したりすることができる。
【０００４】
このＦコード通信に使用するＦコードボックスは複数個備えられ、各々のＦコードボックスには、ボックス名、パスワード、および、識別のためのコード番号（Ｆコード）を登録することができ、ファクス送信されてきた親展文書などをＦコードボックスに保存した場合、ファクシミリ装置本体でパスワード入力を行い、認証が行われた場合のみ、Ｆコードボックスに保存されている文書を印刷できるようになっている。
【０００５】
上記のように、ファクシミリ装置等の通信端末装置では、画像データを記憶するメモリに、例えば、用紙切れや親展受信のために出力を待っている画像データや、リダイヤル待機中や時刻指定送信、ポーリング送信等のための送信を待っている画像データ等が、出力操作を行ったり、送信が完了するまで保存されている状態が存在する。
【０００６】
通常これらの画像データを記憶するメモリのメモリ残量は、ユーザが送信予約等のメモリを必要とする操作を行った際に表示手段に表示されるが、画像データの種類にかかわらずメモリの全容量に対する使用可能残量を表示するだけであったので、メモリを占有している画像データの種別が分からなかった。
このため、使用可能な残量が少なく、送信予約等のメモリを必要とする操作ができない場合、メモリが空くまで待たなければならず、通信端末装置の利用効率が悪くなるという欠点があったので、メモリの使用内訳を表示することが行われている（例えば、特許文献１参照）。
【特許文献１】特開平７−６６９２５号公報）
【発明の開示】
【発明が解決しようとする課題】
【０００７】
上記のように、従来の通信端末装置では、画像データを保存するメモリの使用内訳を表示するようにしているが、メモリの使用可能な残量が少なく、メモリを使用しているデータを削除しようとした場合、メモリを使用しているデータの種類によってその削除の操作がまちまちで煩雑であり、メモリの使用内訳が分かってもメモリに空き容量を作るには手間がかかる、という問題があった。
【０００８】
本発明は、上記の問題に鑑みてなされたもので、メモリを占有している画像データの使用内訳が分かるとともに、使用内訳画面上で各データを容易に削除することができる通信端末装置を提供することを目的とする。
【課題を解決するための手段】
【０００９】
上述の目的を達成するため、請求項１に係る発明の通信端末装置は、送信画像データ、受信画像データをメモリに記憶する制御手段を備えた通信端末装置であって、上記メモリのメモリ残量表示時に、上記制御手段が、表示手段に上記メモリの使用内訳を表示するとともに、画像データの削除指示ボタンを表示することを特徴とし、
請求項２に係る発明の通信端末装置は、請求項１に記載された通信端末装置において、上記削除指示ボタンが全画像データ削除、分類毎の画像データ削除、細目毎の画像データ削除の指示ボタンよりなることを特徴とする。
【００１０】
また、請求項３に係る発明の通信端末装置は、請求項１または請求項２に記載された通信端末装置において、画像データ削除指示があったとき、上記制御手段が、画像データ削除の確認画面を表示することを特徴とする。
【発明の効果】
【００１１】
本発明の請求項１、請求項２に係る発明の通信端末装置によれば、メモリ残量の表示要求時に、メモリの使用内訳が表示されるとともに、全画像データ削除、分類毎の画像データ削除、細目毎の画像データ削除等の削除指示ボタンが表示されるので、メモリを占有している画像データの使用内訳表示画面上で各データを容易に削除することができる。
【００１２】
また、本発明の請求項３に係る発明の通信端末装置によれば、データ削除指示を行ったとき、データ削除の確認画面が表示されるので、必要な画像データを誤って削除してしまうことを防止することができる。
【実施例】
【００１３】
以下、本発明の通信端末装置をデジタル複合機に適用した実施例について、図面を用いて説明する。図１はデジタル複合機を備えたシステムのネットワーク構成例を示す図であり、図２はデジタル複合機のハードウェア構成を示すブロック図である。
【００１４】
図１に示すネットワーク構成図において、１はデジタル複合機、２、３、４・・・はパソコン、５は公衆交換電話網（ＰＳＴＮ）、６はＬＡＮ（Local Area Network）、７はインターネット網である。デジタル複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信を行うことが可能である。
【００１５】
図２はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０及びＬＡＮインターフェース（Ｉ／Ｆ）２１から構成され、各部がバス２２を介して接続されている。
【００１６】
ＣＰＵ１１はバス２２を介してデジタル複合機１のハードウェア各部を制御するとともに、ＲＯＭ１２に記憶されたプログラムに基づいて各種のプログラムを実行し、ＲＯＭ１２はデジタル複合機１の動作に必要な種々のプログラムや操作メッセージ等を予め記憶している。また、ＲＡＭ１３はＳＲＡＭ等で構成され、プログラムの実行時に発生する一時的なデータを記憶するとともに、時刻指定送信の情報を記憶する送信予約情報記憶部２３やポーリング情報、Ｆコード情報を記憶するポーリング情報記憶部２４、Ｆコード情報記憶部２５を備えている。
【００１７】
表示・操作部１４は、デジタル複合機１の動作状態を表示したり、種々の機能の操作画面の表示を行う表示部と、デジタル複合機１を操作するための複数のキーよりなり、図３に示すように、表示部を構成するＬＣＤ表示部３１と多数の操作キーから構成されている。ＬＣＤ表示部３１には、タッチパネルスイッチが配設され、ＬＣＤ表示部３１に表示された項目部分を押下することで、対応する項目の選択や機能の実行を行うことができる。
【００１８】
また、操作キーとして、テンキー３２、スタートキー３３、リセットキー３４、ストップキー３５、複数のワンタッチダイヤルキー３６、十字キー３７、リターンキー３８、セットキー３９、ＦＡＸ切替キー４０、コピー切替キー４１、スキャナ切替キー４２等の各種キーが設けられている。なお、ＬＣＤ表示部３１によりこれらの操作キーの一部又は全部を代用することも可能である。
【００１９】
読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
画像メモリ１６は、ＤＲＡＭ等を用いて構成され、用紙切れや親展受信のために出力を待っている画像データや、リダイヤル待機中や時刻指定送信、ポーリング送信等のための送信を待っている画像データ等が記憶される。
【００２０】
また、記録部１７は電子写真方式等のプリンタ装置を備え、受信したデータ、コピー原稿データあるいは外部のパソコンから送信されたプリントデータをプリントアウトし、コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２１】
モデム１９はバス２２に接続されており、ファクシミリ通信が可能なファクスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２２】
さらに、ＬＡＮインターフェース２１はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２３】
デジタル複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７によりプリントされる。
【００２４】
一方、時刻指定送信を行う場合には、読取り部１５に原稿をセットした後、表示・操作部１４のＬＣＤ表示部３１のメニュー画面で時刻指定送信を選択することにより、送信宛先、送信時刻を入力する送信予約設定画面が表示されるので、この画面で送信宛先、送信時刻等を入力した後、スタートキー３３を押下することにより、送信宛先、送信時刻等が送信予約情報記憶部２３に記憶されるとともに、読取部１５にセットされた原稿が読み取られ、コーデック１８で圧縮されて画像メモリ１６に保存される。
また、ポーリング送信の準備をした場合、あるいは、親展受信を行った場合には、ポーリング送信や親展受信の情報がポーリング情報記憶部２４またはＦコード情報記憶部２５に記憶され、送信する画像データまたは受信した画像データが画像メモリ１６に保存される。
【００２５】
次に、画像メモリの使用状況を確認する場合のＣＰＵ１１の作用を図４のフローチャートにより説明する。
ユーザが表示・操作部１４のＬＣＤ表示部３１に表示されたメニュー画面でメモリ使用状況確認を選択すると、ＣＰＵ１１は、図４のフローチャートに示すメモリ使用状況確認プログラムを開始し、まず、メモリ１６の使用容量を分類毎に演算して、画像メモリ１６の使用状況をＬＣＤ表示部３１に表示する（ステップ１０１）。
【００２６】
図５は画像メモリ１６の使用状況を示す画面表示の一例であり、図に示すように、メモリ残量、種別毎の使用量がパーセントで表示されるとともに、画像メモリ１６の全データの削除を指示するための「全削除」ボタン５１、種別毎のデータの削除を指示するための複数の「削除」ボタン５２〜５４及び操作を終了するための「終了」ボタン５５が表示されている。
【００２７】
画像メモリ１６の使用状況を表示すると、ＣＰＵ１１は「終了」ボタン５５が押下されたか否かを判定することにより操作終了か否かを判定し（ステップ１０２）、「終了」ボタン５５が押下されたと判定した場合、プログラムを終了する。
また、ステップ１０２で「終了」ボタンが押下されていないと判定した場合、ＣＰＵ１１は、「全削除」ボタンが押下されたか否かを判定し（ステップ１０３）、「全削除」ボタンが押下されたと判定した場合、図６に示すような確認画面をＬＣＤ表示部３１に表示する（ステップ１０４）ことにより、全データの削除を行うか否かを確認する。
【００２８】
次に、ＣＰＵ１１は、図６の確認画面で「ＹＥＳ」ボタン５６が押下されたか、「ＮＯ」ボタンが押下されたかを判定する（ステップ１０５）。「ＹＥＳ」ボタン５６が押下されたと判定した場合、ＣＰＵ１１は、画像メモリ１６の全データを削除した（ステップ１０６）後、プログラムを終了し、「ＮＯ」ボタンが押下されたと判定した場合には、ステップ１０１に戻って再び画像メモリ１６の使用状況表示画面を表示する。
【００２９】
一方、ステップ１０３で「全削除」ボタンが押下されていないと判定した場合、ＣＰＵ１１は、分類毎の「削除」ボタン５２〜５４のいずれかが押下されたか否かを判定し（ステップ１０７）、いずれのボタンも押下されていないと判定した場合、ステップ１０２に戻って再び「終了」ボタン５５が押下されたか否かを判定する。
そして、ステップ１０７で「削除」ボタン５２〜５４のいずれかが押下されたと判定した場合、ＣＰＵ１１は、押下された「削除」ボタンに該当する分類の記憶データの細目をＲＡＭ１３の記憶部から読み出してＬＣＤ表示部３１に表示する（ステップ１０８）。
【００３０】
例えば、ユーザがファクス送信予約の「削除」ボタン５２を押下した場合、ＣＰＵ１１は、ＲＡＭ１３の送信予約情報記憶部２３から送信予約情報を読み出し、図７に示すように、ファクス送信予約されている画像データの送信宛先、送信時刻をＬＣＤ表示部３１に表示するとともに、画像メモリ１６の送信予約の全データの削除を指示するための「全削除」ボタン５８、送信予約の細目毎のデータの削除を指示するための複数の「削除」ボタン５９〜６１及びメモリ使用状況表示画面に戻るための「戻る」ボタン６２を表示する。
【００３１】
この分類毎の細目表示画面を表示すると、ＣＰＵ１１は、「全削除」ボタン５８が押下されたか否かを判定することにより、分類全体の画像データを削除するか否かを判定し（ステップ１０９）、「全削除」ボタン５８が押下されたと判定した場合、図８に示すような確認画面をＬＣＤ表示部３１に表示した（ステップ１１０）後、図８の確認画面で「ＹＥＳ」ボタン６３が押下されたか、「ＮＯ」ボタン６４が押下されたかを判定する（ステップ１１１）。
【００３２】
「ＹＥＳ」ボタン６３が押下されたと判定した場合、ＣＰＵ１１は、画像メモリ１６の選択された分類の全データを削除した（ステップ１１２）後、ステップ１０１に戻って再び画像メモリ１６の使用状況表示画面を表示し、「ＮＯ」ボタン６４が押下されたと判定した場合にも、ステップ１０１に戻って再び画像メモリ１６の使用状況表示画面を表示する。
【００３３】
一方、ステップ１０９で「全削除」ボタン５８が押下されていないと判定した場合、ＣＰＵ１１は、細目「削除」ボタン５９〜６１のいずれかのボタンが押下されたか否かを判定することにより、選択された細目を削除するか否かを判定し（ステップ１１３）、「削除」ボタン５９〜６１のいずれかが押下されたと判定した場合、図９に示すような確認画面をＬＣＤ表示部３１に表示した（ステップ１１４）後、図９の確認画面で「ＹＥＳ」ボタン６５が押下されたか、「ＮＯ」ボタン６６が押下されたかを判定する（ステップ１１５）。
【００３４】
「ＹＥＳ」ボタン６５が押下されたと判定した場合、ＣＰＵ１１は、画像メモリ１６の選択された細目のデータを削除した（ステップ１１６）後、ステップ１０１に戻って再び画像メモリ１６の使用状況表示画面を表示し、「ＮＯ」ボタン６３が押下されたと判定した場合にも、ステップ１０１に戻って再び画像メモリ１６の使用状況表示画面を表示する。
【００３５】
そして、ステップ１１３で細目「削除」ボタン５９〜６１のいずれも押下されていないと判定した場合、ＣＰＵ１１は、図７の細目表示画面の「戻る」ボタンが押下されたか否かを判定し（ステップ１１７）、「戻る」ボタンが押下されていないと判定した場合、ステップ１０９に戻って再び「全削除」ボタン５８が押下されたか否かを判定する。
また、ステップ１１７で「戻る」ボタンが押下されたと判定した場合、ＣＰＵ１１は、ステップ１０１に戻って再び画像メモリ１６の使用状況表示画面を表示する。
【００３６】
以上のように、メモリ残量の表示時に、メモリの使用内訳が表示されるとともに、全データ削除、分類毎のデータ削除、細目毎のデータ削除等の削除指示ボタンが表示されるので、メモリを占有している画像データの使用内訳表示画面上で各データを容易に削除することができる。
また、いずれかのデータ削除指示を行ったとき、データ削除の確認画面が表示されるので、必要な画像データを誤って削除してしまうことを防止することができる。
【００３７】
なお、上記の実施例では、表示・操作部１４のＬＣＤ表示部３１に表示されたメニュー画面でメモリ使用状況確認を選択したとき、図４のフローチャートに示すメモリ使用状況確認プログラムを実行するようにしたが、ユーザが送信予約等のメモリを必要とする操作を行った際に表示手段にメモリ残量を表示するときに、図４のフローチャートに示すメモリ使用状況確認プログラムを実行させるようにすることもできる。
【００３８】
また、上記の実施例では、画像メモリに送信予約原稿、受信原稿、ポーリング原稿、Ｆコードボックスの原稿を保存する場合について説明したが、その他の画像データが保存される場合にも、本発明の通信端末装置を適用することができる。
さらに、上記の実施例では、本発明の通信端末装置をコピー機能、ファクシミリ機能、プリント機能等を有するデジタル複合機に適用した例を説明したが、本発明の通信端末装置はコピー機能等を持たないファクシミリ装置にも適用することが可能である。
【図面の簡単な説明】
【００３９】
【図１】本発明の通信端末装置を適用したデジタル複合機を備えたシステムのネットワーク構成例を示す図である。
【図２】デジタル複合機のハードウェア構成を示すブロック図である。
【図３】表示・操作部の詳細を示す図である。
【図４】画像メモリの使用状況を確認する場合の作用を示すフローチャートである。
【図５】画像メモリの使用状況表示画面の一例を示す図である。
【図６】全画像データ削除ボタンが押下された場合の確認画面の一例を示す図である。
【図７】分類毎の記憶データの細目表示画面の一例を示す図である。
【図８】分類全体の画像データ削除ボタンが押下された場合の確認画面の一例を示す図である。
【図９】選択された細目の画像データ削除ボタンが押下された場合の確認画面の一例を示す図である。
【符号の説明】
【００４０】
１  デジタル複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ＬＡＮ  Ｉ／Ｆ
２２  バス
２３  送信予約情報記憶部
２４  ポーリング情報記憶部
２５  Ｆコード情報記憶部
３１  ＬＣＤ表示部
【図１】
2007074109.tif 000003
【図２】
2007074109.tif 000004
【図３】
2007074109.tif 000005
【図４】
2007074109.tif 000006
【図５】
2007074109.tif 000007
【図６】
2007074109.tif 000008
【図７】
2007074109.tif 000009
【図８】
2007074109.tif 000010
【図９】
2007074109.tif 000011